(57)【特許請求の範囲】
【請求項１】
親骨の根元部を収容するための複数の親骨収容溝を周縁に放射状に備えたフランジ状の親骨枢支部を備え、支柱の所定位置に嵌装固定される傘の上ろくろであって、
前記支柱が挿通される中心孔を備えて前記親骨枢支部の上方に同軸的に連接された円筒状部を有し、該円筒状部は、前記支柱の上ろくろ位置決め穴に係入し得る係合突起を前記中心孔の内周面に備え、かつ石突きが螺装される雄ねじを外周面に形成してなり、前記係合突起を前記支柱の前記上ろくろ位置決め穴に係入させた状態で前記支柱の所定位置に嵌装された前記円筒状部への前記石突きの螺装により、前記支柱に固定されるように構成され、枢軸となる突軸を根元部の両側に備えた前記親骨の前記突軸を支持する突軸支持溝が、前記親骨枢支部の上面に開口する態様で各親骨収容溝の両側に所定の深さに形成され、前記突軸が前記突軸支持溝にて支持された態様ですべての親骨の根元部が前記親骨収容溝にそれぞれ収容された後に前記円筒状部の根元に嵌着される蓋部材により、前記突軸支持溝が蓋をされるように構成されてなる傘の上ろくろにおいて、
中心孔の周囲に前記親骨枢支部を形成したフランジ状の環状体からなる第１部材と、
前記支柱が挿通される中心孔と、前記蓋部材の嵌着部となるフランジ部と、該フランジ部の下方に連接された、前記第１部材に対して分離不能かつ相互回転不能に凹凸係合する態様で前記第１部材の中心孔に弾性的に挿入嵌着される円筒状の嵌着部と、前記フランジ部の上方に連接された、外周面に雄ねじを備えた半円筒体とからなる第２部材と、
外周面に雄ねじを備えかつ内周面に前記係合突起を形成した半円筒体からなり、前記第２部材の半円筒体に側方から添着されて、前記第２部材とともに前記円筒状部を形成する第３部材とによって構成されてなり、
前記第２部材の前記円筒状の嵌着部が、該嵌着部に対し弾性を与えるために下端から軸線方向に上方へ延びる溝を備えており、
前記蓋部材が、ゴムまたは弾力性を有する樹脂材料からなる弾性材料で形成された、前記円筒状部の根元よりも僅かに小さい内径を有する環状体からなり、弾性により内径を拡大させて前記円筒状部の根元に嵌着せしめられ、かつ内径を縮小させようとする弾性により嵌着状態を保つものであることを特徴とする傘の上ろくろ。
【発明の詳細な説明】
【技術分野】
【０００１】
本発明は傘の上ろくろに関し、特に製作時における組立てが容易であるのみでなく、壊れた傘を廃棄する場合に、一般に金属製部材からなる支柱および親骨と容易に分別して廃棄することができる、例えば樹脂製部材からなる上ろくろに関するものである。
【背景技術】
【０００２】
通常の傘は、金属製部材（支柱、親骨，支え骨等）と、一般に合成樹脂（以下単に「樹脂」と呼ぶ）からなる非金属製部材（手元、上ろくろ、下ろくろ、石突き、シート等）から構成されているが、各部材は恒久的にあるいは分解が極めて困難な状態で連結されている。すなわち、樹脂製の上ろくろは留め釘によって金属製の支柱に固定され、また樹脂製の上ろくろと金属製親骨との連結は、根元部に形成した孔に順次針金（抱き針）を挿通した親骨の根元部を上ろくろの親骨収容溝に収容した後、上記針金を上ろくろの外周の溝に巻き付け、かつこの針金の両端を捩り合わせることにより行なっていた。
【０００３】
したがって、従来の傘は、製作時における組立てに手間がかかるのみでなく、壊れた傘を廃棄する場合に、金属製部材と非金属製部材とを分離して分別廃棄することが困難なため、貴重な資源のリサイクルを困難にしていた。
【０００４】
最近、特に環境汚染問題がクローズアップされている中、傘の分別廃棄を義務付ける地方自治体も多くなってきたために、傘の金属製部材と非金属製部材との分別廃棄を容易にすることが要望されている。
【０００５】
そこで、本出願人は先に、組立てが容易であるとともに、廃棄時に金属製部材と樹脂等の非金属製部材とを容易に分別することも可能な傘の上ろくろを提案した（特許文献１）。
【０００６】
この特許文献１には、複数本の金属性親骨の根元部を収容する複数の親骨収容溝を周縁に放射状に備えたフランジ状の親骨枢支部を備えて、金属製支柱の所定位置に嵌装固定される非金属製の上ろくろが開示されており、この上ろくろは、支柱が挿通される中心孔を備えて上記親骨枢支部の上方に同軸的に連接された円筒状部を有し、この円筒状部は、支柱の上ろくろ位置決め穴に係入し得る係合突起を中心孔の内周面に備え、かつ石突きが螺装される雄ねじを外周面に形成している。
【０００７】
そして、上記係合突起を支柱の上ろくろ位置決め穴に係入させた状態で支柱の所定位置の嵌装された上記円筒状部への石突きの螺装により、上ろくろが支柱に固定されるように構成されている。
【０００８】
また、この上ろくろにおいては、支柱への取付けおよび取外しを容易にするために、上記円筒状部が、軸線を含む面に沿って２分割された一対の半円筒体からなり、これら一対の半円筒体のうちの一方が上ろくろに固定的に形成され、上記一方の半円筒体に対し軸線と略平行な方向に延びるヒンジ部を介してこの一方の半円筒体に連結された、上記係合突起を内周面に備えた他方の半円筒体が、上記ヒンジ部に沿って折り曲げられて上記円筒状部を構成するようになっている。
【０００９】
しかしながら、上記特許文献１に開示された抱き針を用いない親骨枢支構造を備えた上ろくろは、親骨の根元部を収容する複数の親骨収容溝がフランジ状の親骨枢支部の下端面の周縁に沿って放射状に開口しているとともに、各親骨収容溝には、親骨の根元部の両側に突設された一対の突軸を枢支するための親骨枢支溝が、親骨収容溝と直交するようにフランジ部を上下に貫通して形成され、さらに各親骨枢支溝の両端部の下端には、上記突軸が親骨支持溝から外れないように親骨支持溝の下部を塞いでいる鉤状の係止片が突設された構成を有するものである。
【００１０】
したがって、このような親骨枢支構造は、製作上の困難さを有する上に、機械強度の点でも問題があり、さらに上ろくろを支柱から取り外すのは容易でああっても、上ろくろから親骨を取り外すのが困難なために、分別廃棄の点でも問題があった。
【特許文献１】特開２００１−３３３８０９号公報
【発明の開示】
【発明が解決しようとする課題】
【００１１】
そこで本発明は、傘の上ろくろにおいて上述した製作上の問題、機械強度的な問題および分別廃棄上の問題を一挙に解決することが可能な傘の上ろくろを提供することを目的とするものである。
【００１２】
なお、以下の説明において、上部または上方は傘の石突き側を意味し、下部または下方は傘の手元側を意味するものとする。
【課題を解決するための手段】
【００１３】
本発明は、親骨の根元部を収容する複数の親骨収容溝を周縁に放射状に備えたフランジ状の親骨枢支部を備えて、支柱の所定位置に嵌装固定される上ろくろであって、支柱が挿通される中心孔を備えて上記親骨枢支部の上方に同軸的に連接された円筒状部を有し、この円筒状部は、支柱の上ろくろ位置決め穴に係入し得る係合突起を中心孔の内周面に備え、かつ石突きが螺装される雄ねじを外周面に形成してなり、上記係合突起を支柱の上ろくろ位置決め穴に係入させた状態で支柱の所定位置に嵌装された上記円筒状部への石突きの螺装により、支柱に固定されるように構成され、枢軸となる突軸を根元部の両側に備えた親骨の上記突軸を支持するための突軸支持溝が、上記親骨枢支部の上面に開口する態様で各親骨収容溝の両側に所定の深さに形成され、上記突軸が上記突軸支持溝にて支持された態様ですべての親骨の根元部が親骨収容溝にそれぞれ収容された後に上記円筒状部の根元に嵌着される蓋部材により、上記突軸支持溝が蓋をされるように構成されてなる傘の上ろくろにおいて、
この上ろくろは第1部材、第２部材および第３部材によって構成されている。上記第1部材は、中心孔の周囲に前記親骨枢支部を形成したフランジ状の環状体からなる。上記第２部材は、上記支柱が挿通される中心孔と、上記蓋部材が嵌着されるフランジ部と、このフランジ部の下方に連接された、上記第１部材に対して分離不能かつ相互回転不能に凹凸係合する態様で上記第１部材の中心孔に弾性的に挿入嵌着される円筒状の嵌着部と、上記フランジ部の上方に連接された、外周面に雄ねじを備えた半円筒体とによって構成されている。上記第２部材の嵌着部は、この嵌着部に対し弾性を与えるために下端から軸線方向に上方へ延びる溝を備えている。上記第３部材は、外周面に雄ねじを備えかつ内周面に上記係合突起を形成した半円筒体からなり、上記第２部材の半円筒体に側方から添着されて、上記第２部材とともに上記円筒状部を形成する。上記蓋部材は、ゴムまたは弾力性を有する樹脂材料からなる弾性材料で形成された、前記円筒状部の根元よりも僅かに小さい内径を有する環状体からなり、弾性により内径を拡大させて前記円筒状部の根元に嵌着せしめられ、かつ内径を縮小させようとする弾性により嵌着状態を保つものである。
【００１６】
上記第３部材は、上記第２部材とは別部材として形成することができる。
【００１７】
あるいは、上記第３部材は、軸線と略平行な方向に延びるヒンジ部を介して上記第２部材の半円筒体に連結された構成とすることもでき、この場合は、上記第3部材がヒンジ部に沿って折り曲げられて上記円筒状部を構成することになる。
【発明の効果】
【００１９】
本発明によれば、枢軸となる突軸を根元部の両側に備えた親骨の上記突軸を支持するための突軸支持溝が、親骨枢支部の上面に開口する態様で、各親骨収容溝の両側に所定の深さに形成され、上記突軸が上記突軸支持溝にて支持された態様ですべての親骨の根元部が親骨収容溝にそれぞれ収容された後に上記円筒状部の根元に嵌着される蓋部材により、上記突軸支持溝が蓋をされるように構成されていることにより、上記突軸支持溝を蓋部材で蓋をするだけで、上記突軸が上記突軸支持溝と蓋部材との間の空間に枢支されることになり、上ろくろに対する親骨の根元部の取付けが極めて容易になる。
【００２０】
特に上記蓋部材が、上ろくろの円筒状部の根元に嵌着されたのみで上記突軸支持溝に蓋をした状態を保ち得る弾性材料で形成された環状体からなるため、上ろくろを支柱に嵌装するのに先立って、すべての親骨の根元部を親骨収容溝にそれぞれ収容した状態で上記円筒状部の根元に蓋部材を嵌着するだけで、上ろくろと親骨の根元部との結合状態が保たれるから、傘の組立て作業の効率化を図ることができる。
【００２１】
特に、上ろくろの円筒状部が、軸線を含む面に沿って２分割された一対の半円筒体からなり、これら一対の半円筒体のうちの一方が上ろくろに固定的に形成され、この一方の半円筒体とは別部材として形成された、または軸線と略平行な方向に延びるヒンジ部を介して一方の半円筒体に連結された、係合突起を内周面に備えた第３部材である他方の半円筒体が、一方の半円筒体に側方から添着されて上記円筒状部を構成するようになっているため、この円筒状部に螺着された石突きを外し、かつ蓋部材を円筒状部から抜き取るだけで、親骨および支柱と、上ろくろとを簡単に分離することができ、これによって、特に親骨および支柱が金属製で、上ろくろが樹脂製である場合に、極めて容易に分別廃棄を行なうことができる。
【００２２】
また、親骨の根元部の突軸を支持した上ろくろの突軸支持溝が開口する親骨枢支部の上面には、蓋部材およびシートを介して石突きが螺着されるため、蓋部材が親骨枢支部の上面から外れる恐れも、親骨の根元部が親骨収容溝から抜け出すおそれも全くなく、十分な機械的強度を備えた親骨枢支構造を得ることができる。
【００２３】
さらに、上ろくろの親骨枢支部と円筒状部とがそれぞれ第１および第２部材として別部材にて形成され、上記円筒状部の下端部が上記親骨枢支部の中心孔内に嵌着されて、分離不可能な状態に一体化されるように構成されているため、上ろくろを単一部品で構成する場合に比較して、上ろくろの製作が格段に容易になる利点がある。
【発明を実施するための最良の形態】
【００２４】
以下、図面を参照して本発明の好ましい実施の形態について詳細に説明する。
【００２５】
図１は、本発明による上ろくろを備えた傘の上端部を傘が閉じた状態で示す断面図、図２はその支柱を除く分解断面図である。
【００２６】
図１および図２において、この傘１の上端部は、上ろくろ位置決め穴２ａを備えた金属製の支柱２と、この支柱２の先端部に嵌装固定される樹脂製の上ろくろ３と、この上ろくろ３に根元部を枢着される複数の金属製親骨４と、これら親骨４に沿って張架された布製または樹脂製シートＳと、上ろくろ３に対し上方から嵌着される環状の蓋部材５と、支柱２の先端が挿入される中心穴６ａおよび雌ねじ６ｂを備えて上ろくろ３に螺装される樹脂製の石突き６とから構成されている。
【００２７】
樹脂製の上ろくろ３は、図３（ａ）〜（ｄ）に示す親骨枢支部を構成する第１部材１０と、この第１部材１０に下端部を嵌着される、図４（ａ）〜（ｃ）に示すような第２部材２０と、この第２部材２０と組み合わされて支柱２に対する係着部を構成する、図４（ａ），（ｂ）に示すような第３部材３０とからなる。
【００２８】
図３（ａ）〜（ｄ）に平面図、側面図、底面図、および図３（ａ）のＡ−Ａ線に沿った断面図で示す第１部材１０は、中心孔１１と、平坦な上面１２および底面１３を備えたフランジ状の環状体からなり、その周壁には、８個の親骨収容溝１４が、上面１２から底面１３にまで貫通する態様で、略等間隔に放射状に形成されている。
【００２９】
第１部材１０の上面１２の各親骨収容溝１４の両側には、親骨４の根元部の両側に突出する、枢軸となる突軸（図７（ａ）参照）を支持するための突軸支持溝１５が、第１部材１０の上面１２から所定の深さに形成されて、第１部材１０の上面１２に開口している。また、第１部材１０の底面１３には、所定の周方向の幅Ｄを有する、第２部材２０に対する回り止め部１６，１６を直径上の２箇所に残して、中心孔１１の周縁を巡って形成された浅い溝１７が中心孔１１と同軸的に形成されている。
【００３０】
図４（ａ）〜（ｃ）に平面図、側面図、および底面図で示す第２部材２０は、支柱２が挿通される中心孔２１と、蓋部材５の嵌着部となるフランジ部２２と、このフランジ部２２の下方に連接された、第１部材１０の中心孔１１に弾性的に挿入嵌着される円筒状の嵌着部２３と、フランジ部２２の上方に連接された、外周面に雄ねじを備えた半円筒体２４とによって構成されている。
【００３１】
上記嵌着部２３は、第１部材１０の中心孔１１に嵌合する円筒状部２５と、この円筒状部２５の下端に形成された、円筒状部２５よりも大径で先細の係着部２６と、第１部材１０の底部の回り止め部１６，１６と係合するべく、係着部２６の直径上の２箇所に形成された一対の凹部２７，２７と、嵌着部２３に弾性を与えるために下端から軸線方向に上方へ延びる溝２８，２８とを備えている。
【００３２】
したがって、第２部材２０の凹部２７，２７と第１部材１０の回り止め部１６，１６との相対位置を合わせた状態で、第２部材２０の嵌着部２３の下端部を上方から第１部材１０の中心孔１１に宛がって下方へ押圧することにより、第２部材２０の係着部２６が弾性的に縮径されて中心孔１１内に挿入され、かつ係着部２６が第１部材１０の溝１７から突出した時点で係着部２６が弾性的に拡径されて、第１部材１０と第２部材２０とが、相互回転を阻止された態様で、分離不可能な状態に一体化される。
【００３３】
図４（ａ），（ｂ）の平面図、側面図において、第２部材２０の傍らに示されている第３部材３０は、外周面に雄ねじを備えた半円筒体からなり、この第３部材３０と、第２部材２０の半円筒体２４とは、完全な円筒体がその軸線を含む面に沿って２分割された関係にあり、第３部材３０が第２部材２０の半円筒体２４に側方から添着されて、石突き６が螺装される連続した雄ねじを備えた完全な円筒体を形成するようになっている。
【００３４】
第３部材３０の内周面には、支柱２の上ろくろ位置決め穴２ａに係入し得る係合突起３１が形成されている。
【００３５】
また、円筒体の切断面に相当する端面の一方、例えば第２部材２０の半円筒体２４の端面には係合突起２９が形成され、第３部材３０の端面には、上記係合突起２９が係入し得る窪み３２が形成されている。
【００３６】
図５（ａ）〜（ｃ）は、上記第１部材１０に上記第２部材２０が嵌着されて構成された上ろくろ３を第3部材３０とともに示す平面図、側面図および底面図である。
【００３７】
図６は、第２部材の別の実施の形態を示し、この第２部材２０′は、係合突起３１を内周面に備えた半円筒体３０′が、軸線と略平行な方向に延びるヒンジ線Ｈを有するヒンジ部３３を介して一方の半円筒体２４に連結され、半円筒体３０′がヒンジ部３３に沿って折り曲げられて、石突き６が螺装される完全な円筒体を形成するようになっている。
【００３８】
図７（ａ）は、親骨４の根元部を示す底面図で、この根元部４ａは、親骨枢支部を構成する第１部材１０の親骨収容溝１４内に挿入可能なように平に潰されて、そこに枢軸となる突軸４０が取り付けられている。この突軸４０としては、例えば市販の円筒状鳩目金具を、親骨４の根元部４ａに形成された孔に挿入して根元部４ａの両側に突出させ、かつその両端をフランジ状に潰して抜止めとしたものを用いることができる。
【００３９】
そして、突軸４０を備えた全ての親骨４の根元部４ａは、図７（ｂ）に示すように第１部材１０の上面１２に開口する突軸支持溝１５に突軸４０を支持させた状態で親骨収容溝１４に収容される。
【００４０】
図８（ａ），（ｂ）は、上ろくろ３の第１部材１０の上面１２に蓋をする蓋部材５の平面図および側面図を示す。この蓋部材５は、第１部材１０の直径に略等しい外径と、第２部材２０のフランジ部２２の外径よりも僅かに小さい内径と、フランジ部２２の厚さよりも若干厚めの厚さとを有する環状体からなり、かつゴム、弾力性を有する樹脂材料等の弾性材料で形成されている。
【００４１】
したがって、突軸４０を備えた全ての親骨４の根元部４ａは、図７（ｂ）に示すように第１部材１０の上面１２に開口する突軸支持溝１５に突軸４０を支持させた状態で親骨収容溝１４に収容された後、上記蓋部材５を上方からフランジ部２２に嵌着して、突軸支持溝１５に蓋をすることができ、しかもこの嵌着状態を自らの弾性で保つことができる。
【００４２】
このことは、上ろくろ３を支柱２に取り付ける以前に、全ての親骨の根元部４ａを図７（ｂ）に示す状態に上ろくろ３に取り付けた後、この蓋部材５をフランジ部２２に嵌着するだけで、親骨４の根元部４ａが上ろくろ３から外れることなく枢支されることを意味し、傘製作時の作業性を向上させることができる。
【００４３】
そして、このように親骨４を取り付け、かつ蓋部材５にて第１部材１０の上面１２に蓋をした上ろくろ３を、支柱２の上端から挿通し、支柱２の位置決め穴２ａに対応する位置において、第３部材３０をその係合突起３１を位置決め穴２ａに係入させた状態で第２部材２０の半円筒体２４に側方から添着して（図６に示す第２部材２０′の場合は、ヒンジ部３３から折り曲げて）円筒体を構成し、この円筒体に対し、シートＳを介して石突き６を螺着することにより、上ろくろ３は強固に支柱２に嵌装固定される。
【００４４】
なお、特にスプリングの弾発力によって開く自動開き傘の場合には、支柱２に形成された上ろくろ位置決め穴２ａのエッジが、図１に示すように、内側に湾曲していることが好ましい。これは、傘が開くときにスプリングの弾発力によって上ろくろ３が下方から衝撃を受けた場合に、位置決め穴２ａのエッジによって係合突起３１が損傷するのを防止するためである。
【００４５】
一方、傘の廃棄時にこの上ろくろ３を支柱２から取り外す場合には、先ず石突き６を回して上ろくろ３から取り外し、次いでシートＳを外してから蓋部材５を抜くことにより、係合突起３１を備えた第３部材３０が分離し（図６に示す第２部材２０′の場合は、ヒンジ部３３から開き）、かつ親骨４の根元部４ａが上ろくろ３から外れ、極めて容易に上ろくろ３を支柱２から上方へ抜き去ることができる。
【００４６】
このようにして、金属製部材からなる支柱２および親骨４と、樹脂製部材からなる上ろくろ３ならびに樹脂製または布製のシートＳとが容易に分離され、分別廃棄が可能になる。
【図面の簡単な説明】
【００４７】
【図１】本発明による上ろくろを備えた傘の上端部を傘が閉じた状態で示す断面図である。
【図２】図１の傘の上端部の、支柱を除く分解断面図である。
【図３】図３（ａ）〜（ｄ）は、上ろくろの構成部品である第１部材の平面図、側面図、底面図および図３（ａ）のＡ−Ａ線に沿った断面図である。
【図４】図４（ａ）〜（ｃ）は、上ろくろの構成部品である第２部材を第３部材とともに示す平面図、側面図および底面図である。
【図５】図５（ａ）〜（ｃ）は、第３部材とともに示す上ろくろの平面図、側面図および底面図である。
【図６】図６（ａ），（ｂ）は、上ろくろの第２部材の他の実施の形態を示す平面図および側面図である。
【図７】図７（ａ）は、親骨の根元部の底面図、図７（ｂ）は、親骨の根元部が図５の上ろくろの親骨収容溝に収容された状態を示す平面図である。
【図８】図８（ａ）,（ｂ）は、蓋部材の平面図および側面図である。
【符号の説明】
【００４８】
１    傘
２    支柱
３    上ろくろ
４    親骨
６    石突き
１０    上ろくろの第１部材
１４    親骨収容溝
１５    突軸支持溝
２０    上ろくろの第２部材
２２    フランジ部
２３    嵌着部
２４    半円筒体
３０    上ろくろの第３部材（半円筒体）
３１    係合突起
４０    突軸
【図１】
0004545070.tif 000002
【図２】
0004545070.tif 000003
【図３】
0004545070.tif 000004
【図４】
0004545070.tif 000005
【図５】
0004545070.tif 000006
【図６】
0004545070.tif 000007
【図７】
0004545070.tif 000008
【図８】
0004545070.tif 000009